(57)【要約】【課題】ロック部材とロック解除阻止部材が栓体側と片開き側に分担装備されるだけで不用意なロック解除を阻止する簡単かつ安価でかさ低いロック機構し、飲料容器側からの操作性も高められるようにする。【解決手段】飲料容器１に装着される注出口２を持った栓体２２、栓体２２の片側のヒンジ軸３を中心に注出口２を開閉する片開き蓋４、片開き蓋４を閉じ位置にロックし、ロックを解除できるロック部材６を備え、片開き蓋４の自由端部４ａの前部に、ロック部材６のロック解除動作を所定位置にて阻止し、またこの阻止を所定位置から退避して解除するように移動するロック解除阻止部材８を設け、ロック解除阻止部材８は、上方に向け後部側に湾曲した円弧軌跡上で上下移動してロック解除阻止とこの阻止を解除するようにして、上記の目的を達成する。【選択図】図１
2011251707.tif 000002
【特許請求の範囲】
【請求項１】
飲料容器の上端に被さるように装着される注出口を持った栓体と、この栓体の片側のヒンジ軸を中心に注出口を開閉する片開き蓋と、片開き蓋を閉じ位置にロックし、このロックを解除できるロック部材とを備え、片開き蓋の自由端部の前部に、ロック部材のロック解除動作を所定位置にて阻止し、またこの阻止を所定位置から退避して解除するように移動するロック解除阻止部材を設け、このロック解除阻止部材は、上方に向け後部側に湾曲した円弧軌跡上で上下移動してロック解除阻止とこの阻止を解除するようにしたことを特徴とする飲料容器栓。
【請求項２】
ロック部材およびロック解除阻止部材は上下に並び、ロック解除阻止部材は、片開き蓋の外面壁に沿った円弧軌跡を有して上下動し、下動によってロック部材の先端係合爪の背部に位置してロック解除を阻止する請求項１に記載の飲料容器栓。
【請求項３】
ロック解除阻止部材は、その裏面側に配置した湾曲ガイドによって案内されて円弧軌跡に沿った上下動を行う請求項１、２のいずれか１項に記載の飲料容器栓。
【発明の詳細な説明】
【技術分野】
【０００１】
本発明は、飲料容器の上端に被さるように装着される注出口を持った栓体と、注出口の片側のヒンジ軸を中心に注出口を開閉する片開き蓋と、この蓋を開き位置にロックし、そのロックを解除するロック機構とを備えた飲料容器栓に関する。
【背景技術】
【０００２】
このような飲料容器栓は、下記特許文献１、２などで既に知られている。特許文献１に開示の飲料容器栓は、片開き蓋の自由端部に、蓋閉じ時に飲料容器側となる栓体の係合部に弾性係合するロック部材と、このロック部材の外面に被さって設けられ、ロック部材の係合部への係合を外すようにロック部材を操作してロックを解除するロック解除部材とで構成したロック機構を装備している。ロック部材およびロック解除部材ともに鉤型をなして重なり、片開き蓋の天面と周壁外周面との前部に形成した鉤型凹部に所定のストロークだけ前後移動できるように支持されている。このストロークはロック部材が片開き蓋の係合部に対して係合し、係合が解除されるのに必要な移動量とされ、ロック部材は片開き蓋上で飲料容器側の係合部との係合位置に常時あるよう前部側へばねで付勢され、これにロック解除部材が連動するようにされている。
【０００３】
これにより、ロック部材の係合爪が蓋閉じ時に片開き蓋側の係合部に当接していき、一旦ばねに抗して係合部に後部へ押し退けられながら噛み合い量を増していき、閉じ完了位置でロック部材はロック解除部材と共にばねの付勢によりロック位置に復帰されて、係合爪が自動的に係合部に係合しロック状態になる。このロック状態でロック解除部材を後部側に操作してロック部材を後退させると係合爪が片開き蓋側の係合部との係合が外れるのでロック部材による片開き蓋の閉じ位置へのロックが解除する。ロック解除部材のロック解除操作は、片開き蓋の周壁前部に吐出している部分を後方へ押動することで行うワンプッシュ操作となる。さらに、片開き蓋の天面にはロック解除部材のロック解除操作を左右の移動で阻止したり、阻止を解除したりするロック解除阻止部材を設けて不用意なロック解除が行われないようにしている。
【０００４】
特許文献２に開示の飲料容器栓は、片開き蓋の自由端部に飲料容器側である栓体のロック機構との係合部を設けて、これが蓋閉じ時に栓体のロック部材の係合爪に弾性係合し自動的に閉じ位置にロックされるようにしている。このために、ロック部材は栓体側周の前面に水平な軸周りに所定のストローク回動するように設けられている。このストロークはロック部材が飲料容器側の係合部に対して係合し、係合が解除されるのに必要な回動量とされ、ロック部材は栓体側で片開き蓋上の係合部との係合位置に常時あるよう係合爪が後部側に片寄り習性を持つようにばねで付勢されている。これにより、蓋閉じ時、ロック部材の係合爪に、片開き蓋側の係合部が当接していき、ロック部材が係合爪を一旦ばねに抗して係合部に後部へ押し退けられながら噛み合い量を増していき、閉じ完了位置でロック部材はばねの付勢によりロック位置に復帰されて、係合爪が自動的に係合部に係合しロック状態になる。これに併せ、ロック部材による片開き蓋の閉じ位置へのロック状態を解除するロック解除部材がロック部材の外面に所定のストローク上下移動できるように被さって設けられている。このストロークはロック解除部材が上動位置で飲料容器側と突っ張って、ロック部材の尾端を後部へ押動してロックを解除できないようにするロック解除阻止位置と、このロック解除阻止位置から前記突っ張り合いが解消するまで下動して、ロック部材の尾端を押動できるロック解除位置との間を上下移動するための移動量である。従って、この場合も、ロック解除部材によるロック解除操作はロック解除部材を下動させてからのワンプッシュ操作となる。
【先行技術文献】
【特許文献】
【０００５】
【特許文献１】特開２００８−２２２２３８号公報
【特許文献２】特開２００６−１５８７２９号公報
【発明の概要】
【発明が解決しようとする課題】
【０００６】
しかし、特許文献１、２に記載のロック機構は、ロック部材およびロック解除部材が２重に重なって設けられるので、嵩張りが大きい。このため、特許文献１に開示のように片開き蓋のスペースを利用して設けると外部に張り出さないが、片開き蓋の周壁前部に配置してプッシュ操作することになるので、飲料容器を把持している片手の指で簡易にプッシュ操作するには離れ過ぎていて容易でない。しかも、ロック解除部材によるロック解除ができる状態にするロック解除阻止部材を片開き蓋の天面で行う必要があるので、両手が必要となりスピーディな使用の妨げになる。特許文献２に開示のように栓体の側に設けて操作しやすくすると、栓体にはデッドスペースがなくかなり外部に張り出すので、飲料容器の近時のスリム化の中でロック機構のかさ張りが目立って商品価値を損なうので、ロック機構のかさ張りを軽減することが強く求められている。
【０００７】
本発明は、このような点に鑑み、ロック部材とロック解除阻止部材が栓体側と片開き蓋側に分担装備されるだけで不用意なロック解除を阻止する簡単かつ安価でかさ低いロック機構をなし、飲料容器側からの操作性も高められる飲料容器栓を提供することを目的としている。
【課題を解決するための手段】
【０００８】
上記のような目的を達成するために、本発明の飲料容器栓は、飲料容器の上端に被さるように装着される注出口を持った栓体と、この栓体の片側のヒンジ軸を中心に注出口を開閉する片開き蓋と、片開き蓋を閉じ位置にロックし、このロックを解除できるロック部材とを備え、片開き蓋の自由端部の前部に、ロック部材のロック解除動作を所定位置にて阻止し、またこの阻止を所定位置から退避して解除するように移動するロック解除阻止部材を設け、このロック解除阻止部材は、上方に向け後部側に湾曲した円弧軌跡上で上下移動してロック解除阻止とこの阻止を解除するようにしたことを特徴としている。
【０００９】
このような構成では、栓体側にロック部材が位置しているだけで、片開き蓋は蓋閉じ時ロック部材が係合して閉じ状態にロックされ、また、ロック部材を栓体を含む飲料容器側でロック解除操作するだけでロックを解除される。また、栓体と片開き蓋は可動部としてのロック部材およびロック解除阻止部材を住み分け装備するだけで、ロック、ロック解除に加え、ロック解除を阻止し、またこの阻止を解除できる簡単でかさ低いロック機構を構成することができる。さらに、栓体側のロック部材はもとより、片開き蓋の側のロック解除阻止部材は、片開き蓋の自由端の前部において上方に向け後部側に湾曲した円弧軌跡に沿った移動によってロック解除の阻止およびこの阻止の解除とを行うので、栓体を含む飲料容器側からの、例えば飲料容器を把持した片手の親指の自然な伸ばしと引き付け動作にて簡易に上下動操作させられる。
【００１０】
上記において、さらに、ロック部材およびロック解除阻止部材は上下に並び、ロック解除阻止部材は、片開き蓋の外面壁に沿った円弧軌跡を有して上下動し、下動によってロック部材の先端係合爪の背部に位置してロック解除を阻止するものとすることができる。
【００１１】
このような構成では、上記に加え、さらに、片開き蓋の前部は上方に向け後部側に湾曲した円弧軌跡に沿って上下動するロック解除阻止部材の移動域との間のデッドスペースがなくなり、片開き蓋の前部をかさ低くすることができるし、片開き蓋の天面に丸みを持って繋がる形態とすることができる。また、ロック部材およびロック解除阻止部材が上下に並んで栓体および片開き蓋の周方向の前部に縦方向に集約配置されたロック機構をなし、ロック解除阻止部材の下動によってロック部材の係合爪背部に重なるだけで、ロック解除を確実に阻止することができ、ロック解除阻止部材のロック解除阻止を解除する操作から、ロック部材のロック解除操作への移行が飲料容器を把持した片手の親指がロックの解除阻止を解除して伸びた状態から、引き付けまたはおよび折り曲げて簡単に対応することができる。
【００１２】
上記において、さらに、ロック解除阻止部材は、その裏面側に配置した湾曲ガイドによって案内されて円弧軌跡に沿った上下動を行うものとすることができる。
【００１３】
このような構成では、上記に加え、さらに、ロック解除阻止部材の円弧軌跡に沿った上下動は、円弧軌跡の中心にて軸支することでも行えるが、円弧軌跡の曲率が大きいほど、ロック解除阻止部材から支持軸が遠のくので勢い大型化して片開き蓋の内のデッドスペースに収まり難く実施困難になるが、湾曲ガイドにより案内すると必要スペースが極小になる。
【発明の効果】
【００１４】
本発明の飲料容器栓によれば、栓体と片開き蓋は可動部としてのロック部材およびロック解除阻止部材を住み分け装備するだけで、ロック、ロック解除に加え、ロック解除を阻止し、またこの阻止を解除できる簡単でかさ低くロック機構を構成し、片開き蓋側はもとより、栓体側においてもかさ張りを抑えて近時の飲料容器のスリム化に好適となるし、コストを低減することができる。また、栓体側のロック部材はもとより、ロック解除阻止部材は、片開き蓋の自由端の前部において上方に向け後部側に湾曲した円弧軌跡に沿った移動によってロック解除の阻止およびこの阻止の解除とを行い、栓体を含む飲料容器側からの、例えば飲料容器を把持した片手の親指の自然な伸ばしと引き付け動作にて簡易に上下動操作して簡易に使用できる。
【００１５】
上記に加え、さらに、片開き蓋の前部はこれに沿って円弧軌跡に沿って上下動するロック解除阻止部材の移動域との間のデッドスペースがなくかさ低くなるし、片開き蓋の天面に丸みを持って繋がる形態としやすくかさ張りをより抑えられる。また、ロック部材とロック解除阻止部材が上下に並び栓体、片開き蓋の前部に縦方向に集約したロック機構をなして操作しやすくし、特に、ロック解除阻止部材は簡単な下動操作にてロック部材の係合爪背部に重なってロック解除を確実に阻止し、このロック解除の阻止を解除するようロック解除阻止部材を上動操作してから、ロック部材のロック解除操作へ移行するのに飲料容器を把持した片手の親指がロックの解除阻止を解除して伸びた状態から、下方に引き付けまたはおよび折り曲げて簡単に対応することができる。
【００１６】
上記に加え、さらに、ロック解除阻止部材の円弧軌跡に沿った上下動は、円弧軌跡の中心にて軸支することでも行えるが、円弧軌跡の曲率が大きいほど、ロック解除阻止部材から支持軸が遠のくので勢い大型化して片開き蓋の内のデッドスペースに収まり難く実施困難になるが、湾曲ガイドにより案内すると必要スペースが極小になるので、片開き蓋内のデッドスペースを有効利用して設けられ、片開き蓋のかさ張りの原因にはならない。
【図面の簡単な説明】
【００１７】
【図１】本実施の形態に係る片開き蓋をなす蓋構造を採用した飲料容器の１つの具体例を蓋閉じ状態で示す断面図、正面図である。
【図２】同飲料容器の片開き蓋を飲料容器側のボトル栓に装備して示す蓋閉じ状態と、蓋開き状態との斜視図である。
【図３】同飲料容器の片開き蓋を飲料容器側のボトル栓に装備し蓋カバーを上方へ取り外して示す蓋閉じ状態の斜視図、蓋カバーを表裏反転して示す斜視図、ロック部材、ロック解除阻止部材、ロック解除阻止部材の支持部材を分解して示す斜視図である。
【発明を実施するための形態】
【００１８】
以下、本発明の実施の形態に係る飲料容器の蓋構造について図１〜図３を参照しながら説明し、本発明の理解に供する。しかし、以下の説明は本発明の具体例であって、特許請求の範囲の記載の内容を限定するものではない。
【００１９】
本実施の形態の飲料容器の蓋構造は、図１に実線で示すように、直飲みおよびまたは注ぎ出しができる注出口２を持った上端部の前部に、蓋閉じ時に蓋を閉じ状態にロックし、このロックを解除できるようにしたロック部材６が設けられた飲料容器１に適用され、飲料容器１の注出口２の後部側のヒンジ軸３を中心に起伏して開閉される片開き蓋４をなし、自由端部４ａの前部に、ロック部材６のロック解除動作を所定位置にて阻止し、またこの阻止を所定位置から退避して解除するように移動するロック解除阻止部材８を備え、片開き蓋４の前部のロック解除阻止部材８の操作域Ｓ１を除く可動域Ｓ２前部を含む外まわりを覆う蓋カバー９を設けている。これにより、飲料容器１側にロック部材６が位置しているだけで、片開き蓋４は蓋閉じ時ロック部材６が係合して閉じ状態にロックされ、また、ロック部材６を飲料容器１側でロック解除操作するだけでロックを解除される。また、片開き蓋４は可動部としてのロック解除阻止部材８を自由端部４ａの前部に住み分け装備して移動されるだけで、ロック部材６のロック解除を阻止し、またこの阻止を解除することができ、ロック解除の阻止によりロック部材６が不用意にロック解除動作されないようにすることができる。さらに、蓋カバー９が片開き蓋４のロック解除阻止部材８の操作域Ｓ１を除く可動域Ｓ２前部を含む外まわりを覆って、蓋カバー９内側の表面状態や形態を露出させずに外観をシンプルに整わせられる。
【００２０】
この結果、片開き蓋４は蓋閉じすると、飲料容器１側の可動部であるロック部材６により閉じ状態にロックされて注出口を閉じたままとされる。また、ロック部材６の飲料容器１側からのロック解除操作により片開き蓋４は閉じ状態へのロックを解除されて注出口２を開いて直飲みや注ぎ出しに供することができる。また、片開き蓋４側の前部に装備した可動部であるロック解除阻止部材８を所定位置とし、また所定位置から退避させる移動操作によってロック部材６のロック解除を阻止し、またこの阻止を解除でき、不使用時はロック解除阻止状態にしておくことで、ロック部材６が悪戯や不用意な外力によってロック解除するのを回避することができる。また、このような外力を受けてもロック部材６は撓んで破損することはない。また、不用意な外力がロック解除阻止部材８に働いても、ロック部材６の先端係合爪６ａを係合部７およびこれを持った片開き蓋４に押圧して外力が受けられるので、ロック解除阻止部材８およびロック部材６が破損することはない。さらに、飲料容器１および片開き蓋４の双方に１つずつ可動部を分担装備するだけの、使用に安全で、簡単かつ安価なロック機構１１がかさ低く構成される。しかも、蓋カバー９が片開き蓋４のロック解除阻止部材８の操作域Ｓ１を除く可動域Ｓ２前部を含む外まわりを覆って、蓋カバー９内側が露出されないことによる表面状態や形態の規制を不要として設計の自由度を高めながら、外観をシンプルに整わせ、独立部材どうしの金属、樹脂などの素材や表面加工を生かした質感、着色による色調の統一や違いなども併せ、装飾することができ商品価値を高められる。
【００２１】
具体的には、図１、図２に示すように、直飲みおよびまたは注ぎ出しができる注出口２を持った上端部の前部に、蓋閉じ時に蓋を閉じ状態にロックするよう支持軸１０まわりで図１に仮想線で示すロック解除位置から図１、図２に実線で示すロック位置にばね５で付勢されたロック部材６が設けられた飲料容器１に適用されるもので、飲料容器１上端部の後部側のヒンジ軸３を中心に起伏して開閉される片開き蓋４をなして、ヒンジ軸３まわりに装備した蔓巻きばね３０により開き方向に付勢され、自由端部４ａの前部に、図１、図２に示す蓋閉じ時飲料容器１側でのロック部材６の先端係合爪６ａが弾性係合して閉じ位置にロックされるための係合部７と、ロック部材６が尾端部６ｂの押動により係合部７との係合を外されるロック解除動作を先端係合爪６ａの背部に図１（ａ）に示すように位置して阻止し、またこの阻止を前記背部から退避して解除するように移動するロック解除阻止部材８とを備え、片開き蓋４の前部のロック解除阻止部材８の操作域Ｓ１を除く可動域Ｓ２前部を含む外まわりを覆う蓋カバー９を設けている。
【００２２】
これにより、飲料容器１側にロック部材６が支持軸１０まわりにばね付勢されて位置するだけで、片開き蓋４は蓋閉じ時係合部７にロック部材６が係合して閉じ状態に自動的にロックされ、また、ロック部材６の尾端部６ｂを飲料容器１側で押動するだけでロックを解除される。また、片開き蓋４は可動部としてのロック解除阻止部材８を自由端部４ａの前部に住み分け装備して移動されるだけで、ロック部材６のロック解除を阻止し、またこの阻止を解除することができ、ロック解除の阻止によりロック部材６が不用意にロック解除動作されないようにすることができる。さらに、ロック解除阻止部材８はロック解除阻止位置にある片開き蓋４が閉じられるだけで、ロック部材６の先端係合爪６ａの背部に干渉などせずに位置してロック解除阻止をすることができ、ロック解除阻止位置側に付勢しておいてロック解除阻止機能に問題はなく、ロック解除阻止を解除する操作をするだけでよく、ロック解除阻止への操作は省略できる。
【００２３】
したがって、片開き蓋４の自由端部４ａの前部に静的な係合部７を設けて蓋閉じするだけで、飲料容器１側の可動部であるロック部材６の先端係合爪６ａと係合して閉じ状態に自動的にロックされ、また、ロック部材６を飲料容器１側から尾端部６ｂを押動するだけの簡単な操作で係合部７との係合を外し片開き蓋４の閉じ状態へのロックを解除することができる。また、片開き蓋４側の自由端部４ａの前部に装備した可動部であるロック解除阻止部材８を飲料容器１側からロック部材６の先端係合爪６ａの背部に位置させ、また退避させる簡単な移動操作によってロック部材６のロック解除を阻止し、またこの阻止を解除できる。
【００２４】
また、蓋カバー９は、片開き蓋４の自由端部４ａの前部のロック解除阻止部材８の操作域Ｓ１を除く可動域Ｓ２から、片開き蓋４の図１、図２（ａ）天面の全部または一部を覆うものとすることができる。これにより、単体の蓋カバー９で、片開き蓋４の自由端部４ａの前部のロック解除阻止部材８の操作域Ｓ１を除く可動域Ｓ２と、片開き蓋４の天面まで連続に覆うことができ、片開き蓋４天面において、表面状態や形態を露出させずに外観をシンプルに整わせて装飾することができる。従って、単体の蓋カバー９で、片開き蓋４前部のロック解除阻止部材８の操作域Ｓ１を除く可動域Ｓ２と、片開き蓋４の天面まで連続に覆って、片開き蓋４天面の露出されない範囲の表面状態や形態の規制を不要として設計の自由度を高めながら、外観を片開き蓋前部から天面に至るより広域に整わせてシンプル化し、かつ、装飾することができる。この意味で、片開き蓋４の目立ちやすい前部および天面のより広域を覆う天面域９ａを設けるのが好適となる。しかし、天面を覆う幅で片開き蓋４の前部まで覆うと、外観の個性が損なわれる。そこで、図１（ｂ）に示すように、蓋カバー９の前面域９ｂの正面視幅Ｂ１を片開き蓋４の正面視幅Ｂ２のほぼ１／３前後とし、これを飲料容器１側のロック部材６の正面視幅と共通にすることで、飲料容器１および片開き蓋４における周方向でのロック機構１１の存在位置を強調できる特異な外観が得られる。また、ロック部材６およびロック解除阻止部材８をワイドにして強度アップと、ロック力、ロック解除阻止力とを十分発揮されるようにし、早期ガタつきや寿命の低下を防止することができる。
【００２５】
また、ロック解除阻止部材８は、図３（ａ）（ｂ）（ｄ）に示す湾曲ガイド１２の案内を受けるなどして、図１（ａ）、図２（ａ）、図３（ａ）（ｂ）（ｃ）に示すように、上方に向け後部側に湾曲した円弧軌跡上で上下移動してロック解除阻止とこの阻止を解除し、蓋カバー９は、ロック解除阻止部材８に沿った形状とすることができる。これにより、ロック解除阻止部材８は、飲料容器１側から、つまり飲料容器１を把持している手の指、特に親指の、上方に向け後部側に湾曲した円弧軌跡に沿った自然な伸ばしと引き付け動作にて上下動させロック解除阻止とこの阻止の解除ができるし、蓋カバー９および片開き蓋４前部が前記円弧軌跡の外まわりに沿った形態とすることができる。従って、ロック解除阻止部材８は、飲料容器１を把持している手の指、特に親指の、上方に向け後部側に湾曲した円弧軌跡に沿った自然な伸ばしと引き付け動作にて簡易に上下動させロック解除阻止とこの阻止の解除ができるし、蓋カバー９および片開き蓋４前部を前記円弧軌跡の外まわりに沿った形態として前部のかさ張りを低減することができる。また、このかさ張りが低減する片開き蓋４の前部形状を、ロック解除阻止部材８の円弧軌跡に沿って上方に向け後部側に湾曲して立ち上がって天面に丸みを持って滑らかに繋がった、特許文献１が開示するような前部での張り出しや尖がりのない３次元の立体曲面形態とすることができる。
【００２６】
ところで、飲料容器１は、金属製の真空二重構造を有したボトル２１を採用しており、注出口２を設けるのにボトル２１の上端のボトル口２１ａに上方から被せて着脱できるように装着した樹脂製の栓体２２と組み合わせて、この栓体２２に注出口２を形成し、この注出口２を開閉する片開き蓋４を注出口２の後部側にヒンジ軸３で連結したものとしている。ここに、本実施の形態は、ボトル２１のボトル口２１ａに被さるように装着される注出口２を持った栓体２２と、この栓体２２の片側のヒンジ軸３を中心に注出口２を開閉する片開き蓋４と、片開き蓋４を閉じ位置にロックし、このロックを解除できるロック部材６とを備え、片開き蓋４の自由端部４ａの前部に、ロック部材６のロック解除動作を所定位置にて阻止し、またこの阻止を所定位置から退避して解除するように移動するロック解除阻止部材８を設け、ロック解除阻止部材８は、既述したように、図３（ａ）（ｂ）（ｄ）に示す湾曲ガイド１２の案内を受けるなどして、図１（ａ）、図２（ａ）、図３（ａ）（ｂ）（ｃ）に示すように、上方に向け後部側に湾曲した円弧軌跡上で蓋カバー９を必須としない片開き蓋４の外面壁に沿って上下移動してロック解除阻止とこの阻止を解除するようにしたボトル栓をも提供している。
【００２７】
これにより、栓体２２側にロック部材６が位置しているだけで、片開き蓋４は蓋閉じ時ロック部材６が係合して閉じ状態にロックされ、また、ロック部材６を栓体２２を含む飲料容器１側でロック解除操作するだけでロックを解除される。また、栓体２２と片開き蓋４は可動部としてのロック部材６およびロック解除阻止部材８を住み分け装備するだけで、ロック、ロック解除に加え、ロック解除を阻止し、またこの阻止を解除できる簡単でかさ低いロック機構１１を構成することができる。さらに、栓体２２側のロック部材６はもとより、片開き蓋４の側のロック解除阻止部材８は、片開き蓋４の自由端部４ａの前部において上方に向け後部側に湾曲した円弧軌跡に沿った移動によってロック解除の阻止およびこの阻止の解除とを行うので、栓体２２を含む飲料容器１側からの、例えば飲料容器１を把持した片手の親指の自然な伸ばしと引き付け動作にて簡易に上下動操作させられる。
【００２８】
したがって、栓体２２と片開き蓋４は可動部としてのロック部材６およびロック解除阻止部材８を住み分け装備するだけで、ロック、ロック解除に加え、ロック解除を阻止し、またこの阻止を解除できる簡単でかさ低くロック機構１１を構成し、片開き蓋４側はもとより、栓体２２側においてもかさ張りを抑えて近時の飲料容器１のスリム化に好適となるし、コストを低減することができる。また、栓体２２側のロック部材６はもとより、ロック解除阻止部材８は、片開き蓋４の自由端部４ａの前部において上方に向け後部側に湾曲した円弧軌跡に沿った移動によってロック解除の阻止およびこの阻止の解除とを行い、栓体２２を含む飲料容器１側からの、例えば飲料容器１を把持した片手の親指の自然な伸ばしと引き付け動作にて簡易に上下動操作して簡易に使用できる。
【００２９】
また、ロック部材６およびロック解除阻止部材８は図示例のように上下に並び、ロック解除阻止部材８は、片開き蓋４の外面壁に沿った円弧軌跡を有して上下動し、下動によってロック部材６の先端係合爪６ａの背部に位置してロック解除を阻止するようにしてあるので、片開き蓋４の前部は上方に向け後部側に湾曲した円弧軌跡に沿って上下動するロック解除阻止部材８の移動域との間のデッドスペースがなくなり、片開き蓋４の前部をかさ低くすることができるし、片開き蓋４の天面に丸みを持って繋がる形態とすることができる。また、ロック部材６およびロック解除阻止部材８が上下に並んで栓体２２および片開き蓋４の周方向の前部に縦方向に集約配置されたロック機構１１をなし、ロック解除阻止部材８の下動によってロック部材６の係合爪背部に重なるだけで、ロック解除を確実に阻止することができ、ロック解除阻止部材８のロック解除阻止を解除する操作から、ロック部材６のロック解除操作への移行が飲料容器１を把持した片手の親指がロックの解除阻止を解除して伸びた状態から、引き付けまたはおよび折り曲げて簡単に対応することができる。
【００３０】
また、ロック解除阻止部材８は、その裏面側に配置した湾曲ガイド１２によって案内されて円弧軌跡に沿った上下動を行うものとしてあるので、ロック解除阻止部材８の円弧軌跡に沿った上下動は、円弧軌跡の中心にて軸支することでも行えるが、円弧軌跡の曲率が大きいほど、ロック解除阻止部材８から支持軸１０が遠のくので勢い大型化して片開き蓋４の内のデッドスペースに収まり難く実施困難になるが、湾曲ガイド１２により案内すると必要スペースが極小になる。従って、湾曲ガイド１２は片開き蓋４内のデッドスペースを有効利用して設けられ、片開き蓋４のかさ張りの原因にはならない。
【００３１】
本実施の形態のボトル栓につきさらに詳述すると、栓体２２は図１に示すように、注出口２を有してボトル口２１ａの内周のねじ２３に嵌合壁２４をねじ合わせて着脱できるように装着される樹脂製の栓本体２２ａと、この栓本体２２ａの注出口２の基部まわりに無理嵌め嵌合部２５にて一体化されてボトル口２１ａの外周を覆う樹脂製のカバー壁２１ｂとで構成されている。栓本体２２ａとカバー壁２１ｂとは高周波溶着によって一体化されてもよく、一体でも全面が露出しているのでお手入れ性は損なわない。しかし、一体化に代えて、ねじや弾性嵌合など着脱できるような組み合わせとしてお手入れ性を高めることもできる。注出口２は、栓本体２２ａのカバー壁２１ｂとの嵌合部２５から上方に延び、図１（ａ）、図２（ｂ）に示すように後部から前部側に向け高くなるようにしてあり、この高くなった前縁２ａに口を付けて直飲みできるし、前縁２ａから注ぎ出しもできるようにしている。また、注出口２は嵌合壁２４の側に窪む受皿２６を有し、この受皿２６の底部の一部に栓体２２の軸心から前部側に片寄った流出口２７を形成して、流出口２７により飲料の流出を制限しながら、受皿２６内に受け入れて注出口２の前縁２ａ部まで長い距離案内して整流し、乱れなく直飲みされ、また注ぎ出せるようにしている。
【００３２】
このような注出口２に対応して、片開き蓋４の天板４ｂには、蓋カバー９に覆われて露出せず外観に影響しない範囲で、図１に示すような天面からの窪み２９をなして、受皿２６の流出口２７の近傍まで突出して入り込む中栓部２８を一体形成してあり、この中栓部２８に被せ付けたシールパッキン３１が蓋閉じ時、流出口２７に所定の圧接代を有して圧接し、流出口２７をシール状態で閉じるようにしている。このために、シールパッキン３１は、中栓部２８に下方から嵌め合わされ、中栓部２８の下端に受けられる内周のフランジ部３１ａから下方にドーム状に延びた中空圧着部３１ｂを形成し、この中空圧着部３１ｂで流出口２７を弾性的に圧着して閉じるようにしている。また、シールパッキン３１は、中栓部２８途中の下向きの段部２８ａを経て中栓部２８の基部側まで被さり、段部２８ａによっても中空圧着部３１ｂの流出口２７への圧着反力を受けられると共に、上端にあるフランジ圧着部３１ｃが注出口２の開口に所定の圧接代を有して圧接し注出口２の開口も閉じるようにしている。従って、飲料容器１を前傾させて飲料を直飲みしたり注ぎ出したりした後、片開き蓋４を閉じたときに、飲料が受皿２６内に残留していても注出口２から外部に漏れ出ることはない。
【００３３】
ロック機構１１のロック部材６は、図１、図２、図３（ａ）に示すように、栓体２２のカバー壁２１ｂの側周前部に形成した保護枠３２内に配置して、保護枠３２の側壁間に支持軸１０で軸支してあり、飲料容器１の転倒時などに不用意なロック解除外力を受けてロック解除されたり、ロック解除阻止状態でロック解除できないことにより損傷したりするのを防止できる。
【００３４】
ロック機構１１のロック解除阻止部材８は、片開き蓋４および蓋カバー９のいずれか、あるいは双方間に支持して設けることができる。図示例では、図３（ａ）に示すように片開き蓋４の側に設けた既述の湾曲ガイド１２により支持案内するようしている。湾曲ガイド１２は、片開き蓋４に一体成形してもよいが形状が複雑になって成形しにくい。そこで、片開き蓋４の自由端部４ａの前部に図１、図２（ａ）、図３（ａ）に示すように、栓体２２の保護枠３２の上端開放部に連続する縦向きに形成した収容凹部３３を形成し、この凹部３３の左右両側壁に形成した図３（ａ）に左側一部で代表して示す係合凹部３４に図３（ａ）（ｂ）（ｄ）に示すように左右両側の係合凸部３５ａを無理嵌めした樹脂製の支持部材３５に湾曲ガイド１２を左右に一体成形している。これに対応して、ロック解除阻止部材８は、その背面に左右の湾曲ガイド１２に上下摺動できるように嵌り合う湾曲溝８ｄを左右に形成している。左右の湾曲ガイド１２は互いに反対向きに形成してもよいが、図示例では互いに向き合うように形成している。従って、左右の湾曲溝８ｄは互いに反対向きに開放するように形成している。しかし、湾曲ガイド１２をロック解除阻止部材８の裏面に設け湾曲溝８ｄを支持部材３５の側に設けることができる。
【００３５】
支持部材３５は、さらに、図１（ａ）、図３（ｄ）に示すように、左右の湾曲ガイド１２の中間位置に、上方から前部側下方に折り返した樹脂ばね片３５ｂを一体形成し、樹脂ばね片３５ｂの下端部に一体形成したクリックストッパ部３５ｃが湾曲ガイド１２に湾曲溝３５ｂを嵌め合わせて支持したロック解除阻止部材８の背面に図１に示すように圧接させている。ロック解除阻止部材８の背面には、図１に示すようにロック解除阻止部材８がロック部材６の先端係合爪６ａの背部に重なってロック部材６のロック解除動作を阻止する下動位置で、クリックストッパ部３５ｃ下に係合し、図１に示す先端係合爪６ａとの重なりが解消されてロック解除阻止を解除する上動位置で、クリックストッパ部３５ｃ上に係合する係合凸部８ａを設けている。
【００３６】
これにより、ロック解除阻止部材８は、下動したロック解除阻止位置と上動したロック解除の阻止を解除する阻止解除位置との間で上下動する都度、係合凸部８ａが支持部材３５のクリックストッパ部３５ｃを樹脂ばね片３５ｂの弾性を利用し押し退けて移動することになり、ロック解除阻止位置と阻止解除位置との切換え移動に適度な弾性抵抗を受けて切換えの感触が得られる上、ロック解除阻止位置への切換え側にも、阻止解除位置への切換え側にも、切換え動作に過剰な抵抗を与えない程度の弾性力にて安定させられる。これに併せ、ロック解除阻止部材８は、ロック解除阻止位置側、つまり下動側への過剰な移動は、ロック解除阻止部材８の下端８ｂがロック部材６の先端係合爪６ａの背部に重なるときに、ロック部材６の背部に形成した上向き段部６ｃに当接することで規制され、阻止解除位置側、つまり上動側への過剰な移動は、ロック解除阻止部材８の背面に形成した操作部８ｃが蓋カバー９に操作部８ｃを上下動操作できるように前方へ露出させるように形成した操作窓９ｃの上縁に当接することで規制されるようにしている。
【００３７】
組み立て手順として、支持部材３５およびこれに支持されるロック解除阻止部材８は、片開き蓋４単体に装備した後、蓋カバー９を装着して取り扱うことができ、これによって完成した片開き蓋４を栓体２２にヒンジ軸３で連結すれば、組み立てが簡単になる。
【００３８】
蓋カバー９は、図１（ａ）、図２（ａ）に示すように、片開き蓋４の天面に設けた凹陥した段部４１とこれに繋がる前記収容凹部３３に外まわりから嵌め付けてある。この嵌め付けのために、蓋カバー９はその天面域９ａおよび前面域９ｂの周辺に収容凹部３３および段部４１の周壁に嵌り合う内側に短く折れた周壁９ｄを有し、図３（ａ）、（ｃ）に示すように周壁９ｄの天面域９ａの外まわり左右および後部に係合凸条９ｅを一体形成して段部４１の周壁に形成した係合凹部４１ａに無理嵌めし、周壁９ｄの前面域９ａ下端に形成したフック部９ｆを収容凹部３３の底部壁３３ａの図１に示す下端縁３３ｂに前部側から無理嵌めするようにしてある。
【００３９】
ここで、栓体２２は、胴部径が６０ｍｍ未満、よりよくは５０ｍｍ未満のボトル本体２１にその胴部とほぼ同径に装着されるものとすることができ、胴部径が６０ｍｍ未満でも、少年、少女以上の大方の人の片手によってボトル２１の半周以上を、親指の根元部から他の手指、特に長い中指および薬指の先端までで、人差し指、小指を添えて安定に握り、フリーになった親指をボトル２１に装着された栓体２２のロック機構１１におけるロック部材６をロック、ロック解除操作することができ、ロック解除操作後はそのままの握り状態で栓体２２にある注出口２によって直飲みさせられる。５０ｍｍ未満とすれば、安定に片手持ちされる人数が格段に増大する。    
【産業上の利用可能性】
【００４０】
本発明は、飲料容器栓に実用して、飲料容器側および片開き蓋でロック部材、ロック解除阻止部材を分担装備して簡単かつかさ低いものとし、ロック、ロック解除、ロック解除の阻止とその解除ができるとともに、飲料容器側からの操作性も向上する。
【符号の説明】
【００４１】
１  飲料容器
２  注出口
３  ヒンジ軸
４  片開き蓋
４ａ  自由端部
５  ばね
６  ロック部材
６ａ  先端係合爪
６ｂ  尾端部
７  係合部
８  ロック解除阻止部材
８ｃ  操作部
８ｄ  湾曲溝
９  蓋カバー
９ａ  天面域
９ｂ  前面域
１０  支持軸
１１  ロック機構
１２  湾曲ガイド
２１  ボトル
２１ａ  ボトル口
２２  栓体
２６  受皿
２７  流出口
２８  中栓部
３１  シールパッキン
３３  凹部
【図１】
2011251707.tif 000003
【図２】
2011251707.tif 000004
【図３】
2011251707.tif 000005